(57)【要約】【課題】  組み立て作業性がよく、指針本体の光源に電力を供給することが可能な指針式計器装置を供給する。【解決手段】  表示手段１と、表示手段１の裏面側に配設された駆動本体２と、駆動本体２の回転軸２６に装着され表示手段１を迂回するアーム部３を備えるとともにこのアーム部３に設けられる指針部５を備えた指針本体６と、指針本体６に配設され指針部５を発光させる第１の光源７と、を備えた指針式計器装置Ｍにおいて、指針部５に設けられたフォトダイオード１０と、フォトダイオード１０によって得られた電力を第１の光源７に伝送する配線部材である可撓性基板１１とを備えたものである。【選択図】  図２
2010025664.tif 000002
【特許請求の範囲】
【請求項１】
表示手段と、前記表示手段の裏面側に配設された駆動本体と、前記駆動本体の回転軸に装着され前記表示手段を迂回するアーム部を備えるとともにこのアーム部に設けられる指針部を備えた指針本体と、前記指針本体に配設され前記指針部を発光させる光源と、を備えた指針式計器装置において、
前記指針部に設けられたフォトダイオードと、前記フォトダイオードによって得られた電力を前記光源に伝送する配線部材と、を備えたことを特徴とする指針式計器装置。
【請求項２】
前記フォトダイオードが対応する光の波長域は、不可視光線にも対応することを特徴とする請求項１に記載の指針式計器装置。
【発明の詳細な説明】
【技術分野】
【０００１】
本発明は、文字板や液晶表示器などの表示手段の前方を回動する指針を備えた指針式計器装置に関する。
【背景技術】
【０００２】
従来の指針式計器装置は、文字板と、前記文字板の裏面側に配設された駆動本体と、前記駆動本体の回転軸に装着され前記文字板を迂回する指針本体と、前記指針本体に配設される指針部と、前記指針本体に配設され前記指針部を発光させる光源と、前記表示手段の背面側に配設され前記駆動本体を備えた回路基板と、一端が前記光源に接続され他端が前記回路基板に接続され前記光源へ通電する可撓性基板とを備えたものである。
【０００３】
この指針式計器装置の可撓性基板は、前記指針本体の回動に追従するために、前記駆動本体の回転軸に巻き付くように設けられており、その中間部に所定の弛みを備えたものであった。
【特許文献１】国際公開第２００６／５８２１号パンフレット
【発明の開示】
【発明が解決しようとする課題】
【０００４】
しかしながら、前記指針本体の光源に電力を供給するために、前記可撓性基板を前記指針本体と前記回路基板に接続するために、組み立て作業性が煩雑であるといった問題点があった。
【０００５】
そこで、本発明は前述した問題点に着目し、組み立て作業性がよく、指針本体の光源に電力を供給することが可能な指針式計器装置を供給することを目的とする。
【課題を解決するための手段】
【０００６】
本発明は、表示手段と、前記表示手段の裏面側に配設された駆動本体と、前記駆動本体の回転軸に装着され前記表示手段を迂回するアーム部を備えるとともにこのアーム部に設けられる指針部を備えた指針本体と、前記指針本体に配設され前記指針部を発光させる光源と、を備えた指針式計器装置において、前記指針部に設けられたフォトダイオードと、前記フォトダイオードによって得られた電力を前記光源に伝送する配線部材と、を備えたものである。
【０００７】
また、本発明は、前記フォトダイオードが対応する光の波長域は、可視光線の範囲外にも対応するものである。
【発明の効果】
【０００８】
本発明によれば、所期の目的を達成でき、組み立て作業性がよく、指針本体の光源に電力を供給することが可能な指針式計器装置を供給することができる。
【発明を実施するための最良の形態】
【０００９】
以下、本発明を採用した第１実施形態を添付図面に基づいて説明する。
【００１０】
本実施形態の指針式計器装置Ｍは、車両の速度を表示するものであり、表示手段１と、駆動本体２と、指針部５を備えた指針本体６と、この指針本体６に設けられるとともに指針部５を発光させる第１の光源７と、回路基板８と、この回路基板８に実装される第２の光源９と、指針本体６の指針部５に固定されたフォトダイオード１０と、このフォトダイオード１０と第１の光源７とを接続する配線部材である可撓性基板１１とを備えている。
【００１１】
なお、１２は、ハウジングであり、１３は、見返し部材であり、１４は、フレームである。
【００１２】
表示手段１は、表示器１５と、この表示器１５を収納する収納ケース１６と、この収納ケース１６の開口１６ａを覆う前面カバー１７とで構成されている。この表示手段１は、適宜手段によって、回路基板８に固定されている。
【００１３】
表示器１５は、車両に関する情報などを表示するものである。車両に関する情報としては、経路誘導、車両に関する警告表示、また車両の外気温などを表示するものである。
【００１４】
表示器１５は、上記の情報を表示するために、ドットマトリックスの液晶表示素子１８を用いたものである。なお、１９は、液晶表示素子１８を照明する液晶用光源であり、２０は、光源１９からの光を集光や拡散などを行う光学部材であり、２１は、液晶表示素子１８、光源１９および光学部材２０を収納するケースであり、２２は、ケース２１を覆うカバーである。カバー２２には、液晶表示素子１８が露出する窓２３が設けられている。ケース２１には、支柱２４が設けられており、この支柱２４によって、表示器１５は、収納ケース１６に固定されている。
【００１５】
収納ケース１６は、遮光性の合成樹脂からなり、カップ状をしている。また、この収納ケース１６には、第２の光源９からの光を取り入れる開口２５が設けられている。この開口２５は、複数設けられている。
【００１６】
前面カバー１７は、透明な合成樹脂からなり、表示器１５や収納ケース１６内部を視認することができる。前面カバー１７は、文字板の機能を果たすものであり、速度を表す文字からなる指標部４を備えている。この指標部４は、前面カバー１７の背面（図２中下側の面）に、微細な凹凸によって、形成されている。また、前面カバー１７の板面の周囲には、駆動本体２方向に垂れ下がるように形成された壁部２７を備えている。この壁部２７は、前面カバー１７を収納ケース１６に固定する役割を果たすとともに、第２の光源９からの光を取り入れる役割を果たすものでもある。前面カバー１７に設けた指標部４は、開口２５を通して収納ケース１６内に取り込んだ光と、前面カバー１７の壁部２７から取り込んだ光とによって照明される。
【００１７】
液晶用光源１９は、発光ダイオードである。この液晶用光源１９は、白色のものと、肉眼では視認不可能な赤外線を発するものとを、それぞれ複数備えている。
【００１８】
駆動本体２は、交差コイル式計器本体やステッピングモータなどの電動機で、回転する回転軸２６を備えており、指針本体６を回動させるものである。
【００１９】
指針本体６は、光を透過可能な合成樹脂からなる指針部５と、合成樹脂からなるアーム部３とで構成されている。
【００２０】
アーム部３は、Ｌの字形状をしており、表示手段１を迂回している。そして、一端に指針部５を保持するとともに、他端で、駆動本体２の回転軸２６に固定されるものである。
【００２１】
指針部５は、アーム部３に固定され、指標部４の文字や後述する目盛を指示するものである。
【００２２】
第１の光源７は、発光ダイオードからなり、指針部５に光を供給して発光させるものである。この第１の光源７は、アーム部３の端部に固定されている。
【００２３】
回路基板８は、表示手段１の背面側（図２中下側）に配設されている。この回路基板８は、ガラスエポキシ樹脂などからなる硬質の絶縁材料からなる基板である。この回路基板８には、表示手段１、駆動本体２、第２の光源９およびフレーム１４が固定されている。そして、回路基板８の表面には、図示しない導体を備えており、この導体を介して、表示手段１の表示器１５、駆動本体２および第２の光源９に電力を供給するものである。
【００２４】
第２の光源９は、発光ダイオードからなり、複数設けられている。表示手段１の表示器１５の周囲、収納ケース１６内、指標部４を照明するものである。そして、この第２の光源９も、可視光線を発するものと、肉眼では視認不可能な赤外線を発するものとを備えている。
【００２５】
フォトダイオード１０は、シート形状で、図２中、指針部５下側に設けられている。そして、フォトダイオード１０は、表示手段１から発せられた光を受光し、第１の光源７へ電力を供給するものである。表示手段１から発せられる光は、表示器１５の液晶用光源１９と、表示手段１を透過した第２の光源９とからなる。
【００２６】
フォトダイオード１０は、対応する光の波長域が、表示手段１、第２の光源９から発せられた光の波長域に対応するものである。フォトダイオード１０が対応可能な光の波長域は、０．３６０μｍ〜１０００μｍで、可視光線を含む不可視光線の範囲、つまり、近紫外線から赤外線までに対応可能であり、この光の波長域の中で、ある一定の光の波長域に対応するものである。本実施形態では、不可視光線である赤外線（波長、０．７μｍ〜１０００μｍ）に対応するものである。前述したように、肉眼では視認不可能な赤外線を発する液晶用光源１９、第２の光源９を用いることによって、表示手段１の輝度を抑えつつフォトダイオード１０によって得られる電力を増加させることができる。
【００２７】
可撓性基板１１は、図２中、指針本体６に固定されている。詳しくは、指針部５下側とアーム部３の一部に設けられている。そして、フォトダイオード１０によって得られた電力を第１の光源７に伝送するものである。
【００２８】
可撓性基板１１は、ポリイミドなどの軟質の絶縁材料からなる基板であり、図示しない導電体を備えている。この可撓性基板１１は、一端に第１の光源７が実装されており、他端にフォトダイオード１０が実装されている。
【００２９】
なお、配線部材である可撓性基板１１は、ポリイミドなどの軟質の絶縁材料に代えてガラスエポキシ樹脂などの硬質の絶縁性材料からなる基板で形成してもよい。
【００３０】
ハウジング１２は、遮光性の合成樹脂からなり、表示手段１、駆動本体２、指針本体６および回路基板８などの指針式計器装置Ｍの構成部品を収納するものである。
【００３１】
見返し部材１３は、遮光性の合成樹脂からなり、ハウジング１２の開口１２ａに設けられるものである。この見返し部材１３には、指標部を構成する目盛２９が一体形成されている。この目盛２９は、前面カバー１７に設けた指標部４とともに車両の速度を表すものである。
【００３２】
フレーム１４は、白色の合成樹脂からなり、第２の光源９からの光を効率よく表示手段１に反射する反射体である。このフレーム１４は、第２の光源９からの光を回転軸２６を中心に外側へ放射するように反射する第１の反射体１４ａと、この第１の反射体１４ａで反射した光を表示手段１側へ反射する第２の反射体１４ｂとで構成されている。
【００３３】
以上のように構成したことによって、可撓性基板１１を回路基板８に接続することなく、組み立て作業性が改善され、指針本体６の第１の光源７に電力を供給することが可能な指針式計器装置Ｍを供給することができる。
【００３４】
なお、前記実施形態では、フォトダイオード１０は、表示手段１と第２の光源９からの光を受けていたが、表示手段１が大型の場合は、表示手段１からの光のみを受ける構造であってもよい。
【図面の簡単な説明】
【００３５】
【図１】本発明の第１実施形態の指針式計器装置の正面図。
【図２】図１中Ａ−Ａ線の断面図。
【符号の説明】
【００３６】
Ｍ      指針式計器装置
１      表示手段
２      駆動本体
３      アーム部
５      指針部
６      指針本体
７      第１の光源（光源）
８      回路基板
９      第２の光源
１０      フォトダイオード
１１      可撓性基板（配線部材）
２６      回転軸
２９      目盛
【図１】
2010025664.tif 000003
【図２】
2010025664.tif 000004